(57)【要約】【課題】緩衝部材を取り付けた後に、筐体の２つのケースを組み合わせる際に緩衝部材が外れてしまわないようにする。【解決手段】携帯電話機１は、筐体２，４が二軸ヒンジ部３によって連結され、これら筐体２，４が二軸ヒンジ部３によって相対的に開閉及び反転可能となったものである。筐体２は２つのケース２１，２２を組み付けたものであり、筐体２の中に中ケース２４が設けられている。中ケース２４の側面２６に突起２７を設け、側面２６に対応する位置においてリブ２９をケース２２に設け、緩衝部材１５のアーム３２に軸孔３３及び窪み３４を形成する。突起２７を軸孔３３に挿入し、アーム３２を回転させることで、窪み３４にリブ２９を嵌め込み、側面２６とリブ２９との間にアーム３２を挟み込む。緩衝部材１５の頭部３１は筐体２の角部１２に配置させる。【選択図】図１
2008289068.tif 000002
【特許請求の範囲】
【請求項１】
２つの筐体が二軸ヒンジによって連結され、これら筐体が前記二軸ヒンジによって相対的に開閉及び反転可能となった電子機器における前記筐体の前記二軸ヒンジ側の角部に緩衝部材を取り付ける緩衝部材取付構造において、
前記筐体が２つのケースをはり合わせてこれらケースが組み合わせられたものであり、
前記筐体の内部に中ケースが収容され、
前記中ケースの側面に対向した位置においてリブが前記２つのケースの一方に設けられ、
前記緩衝部材が、アームと、前記アームの端に形成された頭部とを有し、
前記中ケースの側面と前記アームのうちの一方に突起が形成され、他方に孔が形成され、
前記突起が前記孔に挿入され、
前記アームが前記突起から前記筐体の角部にかけて延在し、且つ、前記リブと前記中ケースの側面との間に挟まれ、
前記頭部が前記筐体の角部に配置されていることを特徴とする緩衝部材取付構造。
【請求項２】
前記アームに窪みが形成され、前記リブが前記窪みに嵌め込まれていることを特徴とする請求項１に記載の緩衝部材取付構造。
【請求項３】
前記アームが前記突起を支点として立った状態から倒伏した状態に回転されることによって、前記アームが前記リブと前記中ケースの側面との間に挿入されることを特徴とする請求項１又は２に記載の緩衝部材取付構造。
【請求項４】
前記孔が長尺に形成され、前記突起が前記孔に挿入された状態で前記孔の長手方向に前記アームがスライドされることによって、前記アームが前記リブと前記中ケースの側面との間に挿入されることを特徴とする請求項１又は２に記載の緩衝部材取付構造。
【請求項５】
２つの筐体が二軸ヒンジによって連結され、これら筐体が前記二軸ヒンジによって相対的に開閉及び反転可能となった電子機器における前記筐体の前記二軸ヒンジ側の角部に緩衝部材を取り付ける緩衝部材取付方法において、
前記筐体を２つに分けたケースのうち一方のケースに中ケースを設け、
リブを前記中ケースの側面に対向した位置において前記一方のケースに設け、
前記緩衝部材のアームと前記中ケースの側面とのうちの一方に突起を形成し、他方に孔を形成し、
前記アームを立てた状態にして前記突起を前記孔に挿入し、
前記突起を支点として前記アームを回転することによって、前記アームを前記リブと前記中ケースの側面との間に挿入し、前記アームを前記突起から前記筐体の角部にかけて延在させ、前記アームの端に形成された前記緩衝部材の頭部を前記筐体の角部に配置することを特徴とする緩衝部材取付方法。
【請求項６】
２つの筐体が二軸ヒンジによって連結され、これら筐体が前記二軸ヒンジによって相対的に開閉及び反転可能となった電子機器における前記筐体の前記二軸ヒンジ側の角部に緩衝部材を取り付ける緩衝部材取付方法において、
前記筐体を２つに分けたケースのうち一方のケースに中ケースを設け、
リブを前記中ケースの側面に対向した位置において前記一方のケースに設け、
前記緩衝部材のアームと前記中ケースの側面とのうちの一方に突起を形成し、他方に長尺な孔を形成し、
前記突起を前記孔に挿入し、前記アームを前記突起から前記筐体の角部にかけて延在させ、前記孔の長手方向に前記アームをスライドすることによって、前記アームを前記リブと前記中ケースの側面との間に挿入し、前記アームの端に形成された前記緩衝部材の頭部を前記筐体の角部に配置することを特徴とする緩衝部材取付方法。
【請求項７】
前記アームに窪みを形成し、前記アームを前記リブと前記中ケースの側面との間に挿入するに際して前記窪みに前記リブを嵌め込むことを特徴とする請求項５又は６に記載の緩衝部材取付方法。
【発明の詳細な説明】
【技術分野】
【０００１】
本発明は、緩衝部材取付構造及び緩衝部材取付方法に関し、特に二軸ヒンジ型の電子機器において一方の筐体の角部が他方の筐体に接触するときにその角部の衝撃を緩衝する緩衝部材を取り付ける取付構造及び取付方法に関する。
【背景技術】
【０００２】
近年、二軸ヒンジ型の携帯電話機が広く普及している。二軸ヒンジ型の携帯電話機は、表示部筐体と操作部筐体が二軸ヒンジによって連結されたものである（例えば、特許文献１参照）。表示部筐体を操作部筐体に対し二軸ヒンジの第１の軸を中心にして回転することで、これら筐体を相対的に開閉することができ、表示部筐体を操作部筐体に対し二軸ヒンジの第２の軸を中心にして回転することで、これら筐体を相対的に反転することができる。
【０００３】
ところで、表示部筐体の前後面を左右に向けた状態とすると、つまり表示部筐体の厚み方向を操作部筐体の幅方向と平行にすると、表示部筐体の二軸ヒンジ側の角部が操作部筐体の正面に張り出した状態となる。この状態から両方の筐体を相対的に閉じようとすると、表示部筐体の角部が操作部筐体の前面に接触する。係る接触に起因した損傷を防止するため、表示部筐体の角部に低硬度な緩衝部材を取り付けるようにしている（特許文献１参照）。
【特許文献１】特開２００５−２７７６０１号公報
【発明の開示】
【発明が解決しようとする課題】
【０００４】
しかしながら、近年、携帯電話機の小型化が進み、そのような緩衝部材を筐体に取り付けるためのスペースや構造が小さくなっている。そのため、緩衝部材を筐体に取り付ける際には、その作業が細かい作業となる。特に、筐体は２つのケースを組み付けたものであるが、緩衝部材をそれらケースの一方に組み付けた後に、それらケースを組み合わせるので、それらケースを組み合わせる際に、緩衝部材がケースから外れてしまうことがある。それゆえ、組立作業の効率があまり良くなかった。
【０００５】
そこで、本発明が解決しようとする課題は、緩衝部材を取り付けた後に、筐体の２つのケースを組み合わせる際に緩衝部材が外れてしまわないようにすることである。
【課題を解決するための手段】
【０００６】
以上の課題を解決するための請求項１に係る発明は、
２つの筐体が二軸ヒンジによって連結され、これら筐体が前記二軸ヒンジによって相対的に開閉及び反転可能となった電子機器における前記筐体の前記二軸ヒンジ側の角部に緩衝部材を取り付ける緩衝部材取付構造において、
前記筐体が２つのケースをはり合わせてこれらケースが組み合わせられたものであり、
前記筐体の内部に中ケースが収容され、
前記中ケースの側面に対向した位置においてリブが前記２つのケースの一方に設けられ、
前記緩衝部材が、アームと、前記アームの端に形成された頭部とを有し、
前記中ケースの側面と前記アームのうちの一方に突起が形成され、他方に孔が形成され、
前記突起が前記孔に挿入され、
前記アームが前記突起から前記筐体の角部にかけて延在し、且つ、前記リブと前記中ケースの側面との間に挟まれ、
前記頭部が前記筐体の角部に配置されていることを特徴とする緩衝部材取付構造である。
【０００７】
請求項２に係る発明は、
前記アームに窪みが形成され、前記リブが前記窪みに嵌め込まれていることを特徴とする請求項１に記載の緩衝部材取付構造である。
【０００８】
請求項３に係る発明は、
前記アームが前記突起を支点として立った状態から倒伏した状態に回転されることによって、前記アームが前記リブと前記中ケースの側面との間に挿入されることを特徴とする請求項１又は２に記載の緩衝部材取付構造である。
【０００９】
請求項４に係る発明は、
前記孔が長尺に形成され、前記突起が前記孔に挿入された状態で前記孔の長手方向に前記アームがスライドされることによって、前記アームが前記リブと前記中ケースの側面との間に挿入されることを特徴とする請求項１又は２に記載の緩衝部材取付構造である。
【００１０】
請求項５に係る発明は、
２つの筐体が二軸ヒンジによって連結され、これら筐体が前記二軸ヒンジによって相対的に開閉及び反転可能となった電子機器における前記筐体の前記二軸ヒンジ側の角部に緩衝部材を取り付ける緩衝部材取付方法において、
前記筐体を２つに分けたケースのうち一方のケースに中ケースを設け、
リブを前記中ケースの側面に対向した位置において前記一方のケースに設け、
前記緩衝部材のアームと前記中ケースの側面とのうちの一方に突起を形成し、他方に孔を形成し、
前記アームを立てた状態にして前記突起を前記孔に挿入し、
前記突起を支点として前記アームを回転することによって、前記アームを前記リブと前記中ケースの側面との間に挿入し、前記アームを前記突起から前記筐体の角部にかけて延在させ、前記アームの端に形成された前記緩衝部材の頭部を前記筐体の角部に配置することを特徴とする緩衝部材取付方法である。
【００１１】
請求項６に係る発明は、
２つの筐体が二軸ヒンジによって連結され、これら筐体が前記二軸ヒンジによって相対的に開閉及び反転可能となった電子機器における前記筐体の前記二軸ヒンジ側の角部に緩衝部材を取り付ける緩衝部材取付方法において、
前記筐体を２つに分けたケースのうち一方のケースに中ケースを設け、
リブを前記中ケースの側面に対向した位置において前記一方のケースに設け、
前記緩衝部材のアームと前記中ケースの側面とのうちの一方に突起を形成し、他方に長尺な孔を形成し、
前記突起を前記孔に挿入し、前記アームを前記突起から前記筐体の角部にかけて延在させ、前記孔の長手方向に前記アームをスライドすることによって、前記アームを前記リブと前記中ケースの側面との間に挿入し、前記アームの端に形成された前記緩衝部材の頭部を前記筐体の角部に配置することを特徴とする緩衝部材取付方法である。
【００１２】
請求項７に係る発明は、
前記アームに窪みを形成し、前記アームを前記リブと前記中ケースの側面との間に挿入するに際して前記窪みに前記リブを嵌め込むことを特徴とする請求項５又は６に記載の緩衝部材取付方法である。
【発明の効果】
【００１３】
本発明によれば、中ケースの側面とアームのうちの一方に形成された突起が、他方に形成された孔に挿入され、更に、アームがリブと中ケースの側面との間に挿入されて挟まれているので、緩衝部材が中ケース及び筐体のケースに対し確実に拘束される。そのため、筐体の２つのケースを組み合わせる際に、緩衝部材が外れることを防止することができ、組立作業効率が向上する。
【発明を実施するための最良の形態】
【００１４】
以下に、本発明を実施するための好ましい形態について図面を用いて説明する。但し、以下に述べる実施形態には、本発明を実施するために技術的に好ましい種々の限定が付されているが、本発明の技術的範囲を以下の実施形態及び図示例に限定するものではない。
【００１５】
図１は、二軸ヒンジ型の携帯電話機１を示した斜視図である。
この携帯電話機１においては、第１の筐体２が二軸ヒンジ部３によって第２の筐体４に連結されている。第１の筐体２の前面１０には表示画面１１が設けられている。一方、第２の筐体４の前面６には、複数のキーからなる操作部９が設けられている。
【００１６】
第２の筐体４の前面６であって第１の筐体２側の端部には、支持部５が設けられ、二軸ヒンジ部３が支持部５に回転可能に連結されている。これにより、二軸ヒンジ部３が第２の筐体２に対し相対的に回転可能となっており、その回転の軸線７は第２の筐体４の幅方向に平行である。第１の筐体２は第２の筐体４側の端部において二軸ヒンジ部３に回転可能に連結され、その回転の軸線８は第１の筐体２の長手方向に平行である。軸線７と軸線８は直交している。
【００１７】
第２の筐体４に対する第１の筐体２の開閉は軸線７を中心にして第１の筐体２を第２の筐体４に対し回転させて行い、第１の筐体２の前後反転は軸線８を中心にして第１の筐体２を第２の筐体４に対し回転させて行う。軸線８回りの回転により第１の筐体２の厚み前面及び後面を左右に向けると、第１の筐体２の１つの角部１２（第１の筐体２の４つの角部のうち二軸ヒンジ部３側の角部１２）が、第２の筐体４の二軸ヒンジ部３とは反対側の下端部１３に向けて張り出した状態となる。そのため、軸線７回りの回転により第２の筐体４に対して第１の筐体２を閉じると、第１の筐体２の１つの角部１２が第２の筐体４の前面６に接触する。このような接触による第２の筐体４の前面６の損傷を防止すべく、角部１２には緩衝部材１５が取り付けられている。以下、緩衝部材１５の取付構造について具体的に説明する。
【００１８】
図２は、第１の筐体２を分解して示した分解斜視図である。
図２に示すように、第１の筐体２の前面側が前面ケース２１で構成され、第１の筐体２の背面側が背面ケース２２で構成され、前面ケース２１と背面ケース２２が張り合わせられてネジ２３，２３…により接合され、第１の筐体２の内部に収容空間が形成されている。前面ケース２１及び背面ケース２２は何れも樹脂からなるものである。
【００１９】
金属材料からなる中ケース２４が第１の筐体２内に収容され、この中ケース２４がネジ２３，２３…により第１の筐体２に固定されている。中ケース２４の前面側の凹部に液晶ディスプレイパネル２５が搭載され、この液晶ディスプレイパネル２５も中ケース２４とともに第１の筐体２内に収容されている。なお、第１の筐体２の前面１０一部が透明とされ、その透明な部分に液晶ディスプレイパネル２５が対向することで、その透明な部分が表示画面１１となっている。
【００２０】
図３〜図５は、角部１２及びその周辺を拡大して示した分解斜視図である。中ケース２４の側面２６であって角部１２寄り端部には、突起２７が凸設されている。また、背面ケース２２の側面２８であって角部１２寄り端部には、リブ２９が形成され、リブ２９が背面ケース２２に対し一体成型されている。なお、リブ２９が背面ケース２２に対し別体に成型され、リブ２９を背面ケース２２に取り付けるようにしてもよい。
【００２１】
このリブ２９は、前面ケース２１に向かって突出した状態に設けられている。リブ２９が中ケース２４の側面２６に対向しており、このリブ２９が中ケース２４の側面２６から離れており、リブ２９と中ケース２４の側面２６との間に隙間が形成されている。また、このリブ２９は突起２７よりも角部１２寄りにある。
【００２２】
緩衝部材１５は、頭部３１とアーム３２とを有し、頭部３１とアーム３２を樹脂又はゴム弾性材で一体成型したものである。緩衝部材１５の材料の弾性率は前面ケース２１及び背面ケース２２の材料の弾性率よりも小さい。なお、緩衝部材１５の材質は低硬度であれば、その他のものであってもよい。
【００２３】
アーム３２の先端部に軸孔３３が形成され、この軸孔３３がアーム３２を左右に貫通している。アーム３２の他端に頭部３１が形成され、この頭部３１がフランジ状に設けられ、頭部３１がアーム３２に対し左右上下に張出している。また、アーム３２には窪み３４が形成され、この窪み３４は頭部３１と軸孔３３の間にある。軸孔３３に突起２７が挿入され、アーム３２が突起２７から角部１２にかけて延在している。更に、窪み３４にリブ２９が嵌め込まれ、アーム３２がリブ２９と中ケース２４の側面２６との間に挟まれている。
【００２４】
また、角部１２においては、背面ケース２２に凹み４１が形成され、前面ケース２１にも凹み４２が形成され、更に、凹み４２の部分にノッチ４３が形成されている。前面ケース２１と背面ケース２２がはり合わせられた状態では、緩衝部材１５のアーム３２がノッチ４３に挿入されて、頭部３１が前面ケース２１及び背面ケース２２の外側に配置され、頭部３１が凹部４１及び凹部４２に収められ、頭部３１が角部１２になっている。ここで、背面ケース２２は入子状となって前面ケース２１にはり合わせられ、背面ケース２２の側面２８は前面ケース２１の側面４４よりも内側になる。そのため、リブ２９、突起２７及びアーム３２が前面ケース２１の側面４４によって外側を覆われている。
【００２５】
緩衝部材１５の取付方法について説明する。ここで、図３〜図５は、緩衝部材１５を取り付ける際の工程を順に示している。
図３、図４に示すように、緩衝部材１５を取り付ける前では、前面ケース２１は背面ケース２２から外された状態であり、中ケース２４が入子状になって背面ケース２２に設けられ、中ケース２４に液晶ディスプレイパネル２５が搭載されている。
【００２６】
まず、軸孔３３に突起２７を挿入し、緩衝部材１５を中ケース２４の側面２６にセッティングする。この時点では、アーム３２を立てた状態にし、窪み３４にリブ２９を嵌め込まない。
【００２７】
次に、図４、図５に示すように、突起２７によってアーム３２を支持した状態で突起２７を支点にしてアーム３２を回転し、アーム３２を倒伏させる。突起２７が軸孔３３に挿入されて、アーム３２が突起２７に支持されているので、アーム３２を簡単に回転することができる。
【００２８】
アーム３２を回転することによって、窪み３４にリブ２９を嵌め込み、アーム３２をリブ２９と中ケース２４の側面２６の間の隙間に入れ込み、更に頭部３１を背面ケース２２の凹み４１に収める。リブ２９が窪み３４に入り込もうとするとき、アーム３２等が弾性変形し、リブ２９が窪み３４に嵌め込まれたら、アーム３２等が復元する。アーム３２が中ケース２４の側面２６とリブ２９の間に挟まれることで、突起２７が軸孔３３から抜けにくい上、突起２７が軸孔３３に挿入されているので、アーム３２が中ケース２４の側面２６とリブ２９の間の隙間から抜けにくい。特に、リブ２９が窪み３４に嵌め込まれているので、緩衝部材１５の脱落をほぼ完全に抑えることができる。
【００２９】
次に、背面ケース２２に前面ケース２１をはり合わせ、背面ケース２２を入子状にして前面ケース２１に組み付ける。このとき、前面ケース２１のノッチ４３にアーム３２を挿入し、緩衝部材１５の頭部３１を凹み４２に収める。緩衝部材１５が背面ケース２２や中ケース２４に固定されているので、前面ケース２１と背面ケース２２の組み付けを簡単に行うことができる。
【００３０】
以上のような取付方法は簡単な作業であり、前面ケース２１及び背面ケース２２がどの向きであっても、緩衝部材１５を安定して簡単に取り付けることができる。緩衝部材１５の取付に際して作業ミスを防止できる。
【００３１】
また、アーム３２に窪み３４を設け、その窪み３４にリブ２９を嵌め込んでいるため、リブ２９の設置位置を中ケース２４の側面２６に近づけることが可能となり、中ケース２４の側面２６から第１の筐体２の外側側面（前面ケース２１の側面４４）までの厚みが厚くならない。つまり、第１の筐体２を前面１０のうち表示画面１１の占める割合が小さくならない。
【００３２】
勿論、緩衝部材１５の頭部３１によって、第１の筐体２の角部１２が第２の筐体４の前面６に接触することに起因した損傷を防止することができる。
【００３３】
なお、本発明は、上記実施形態に限定されることなく、本発明の趣旨を逸脱しない範囲において、種々の改良並びに設計の変更を行っても良い。
【００３４】
上記実施形態ではアーム３２に軸孔３３が形成され、中ケース２４の側面２６に突起２７が形成されていたが、逆であってもよい。つまり、図２〜図５において突起２７が形成された位置に軸孔が形成され、軸孔３３が形成された位置に突起が形成されていてもよい。この場合でも、緩衝部材１５を取り付けるときには、アーム３２を立てた状態にしてアーム３２の突起を側面２６の軸孔に挿入し、アーム３２を倒伏させるよう回転することによって、リブ２９が窪み３４に嵌め込まれ、アーム３２がリブ２９と側面２６の間に挿入され、頭部３１が凹部４１に収まる。
【００３５】
上記実施形態では、緩衝部材１５を第１の筐体２の二軸ヒンジ部３側の２つの角部のうち一方（角部１２）に取り付けたが、他方の角部にも同様に緩衝部材１５を取り付けてもよい。角部１２の隣りの角部に緩衝部材１５を取り付ける場合、その取付構造は角部１２側の取付構造に対し線対称に設けられる。
【００３６】
上記実施形態では電子機器として携帯電話機を例に挙げて説明したが、パーソナルコンピュータ、ウェアラブルパソコン、デジタルカメラ、ＰＤＡ（Personal Digital Assistance）、電子手帳、携帯無線機、その他の携帯型電子機器に本発明を適用してもよい。
【００３７】
〔変形例〕
図６〜図８は、変形例を示した斜視図である。図６〜図８については、図１〜図５に示された部分に対応する部分に対して同一の符号を付す。以下、図６〜図８と図１〜図５とが相違する点について主に説明する。なお、図６〜図７は、緩衝部材１５を取り付ける際の工程を順に示している。
【００３８】
図６に示すように、アーム３２には軸孔が形成されているのではなく、ガイド孔３５が形成されており、ガイド孔３５がアーム３２の長手方向に長尺な形状となっている。ガイド孔３５がアーム３２を左右に貫通している。アーム３２に形成された窪み３６は、ガイド孔３５よりもアーム３２の先端寄りに形成されている。
【００３９】
突起５７が中ケース２４の側面２６に形成され、リブ５９が背面ケース２２に形成され、リブ２９が中ケース２４の側面２６に対向し、リブ５９と中ケース２４の側面２６との間に隙間が形成されている。突起５７がリブ５９よりも角部１２寄りにある。
【００４０】
ガイド孔３５に突起５７が挿入され、アーム３２が突起５７から角部１２にかけて延在し、窪み３６にリブ５９が嵌め込まれ、アーム３２がリブ２９と中ケース２４の側面２６との間に挟まれている。
【００４１】
なお、ガイド孔３５がアーム３２に形成され、突起５７が中ケース２４の側面２６に形成されていたが、逆に突起がアーム３２に形成され、ガイド孔が中ケース２４の側面２６に形成されてもよい。
【００４２】
緩衝部材１５の取付方法について説明する。
まず、図７に示すように、ガイド孔３５に突起５７を挿入し、緩衝部材１５を中ケース２４の側面２６にセッティングする。この時点では、アーム３２を突起５７から第１の筐体２の角部１２にかけて延在させ、窪み３６にリブ５９を嵌め込まない。
【００４３】
次に、図７、図８に示すように、突起５７によってアーム３２を支持した状態でアーム３２をリブ５９へとスライドする。この時、突起５７及びガイド孔３５によってアーム３２が案内される。アーム３２をスライドすることによって、窪み３６にリブ５９を嵌め込み、アーム３２をリブ５９と中ケース２４の側面２６の間の隙間に入れ込み、更に頭部３１を背面ケース２２の凹み４１に収める。リブ５９が窪み３６に入り込もうとするとき、アーム３２等が弾性変形し、リブ５９が窪み３６に嵌め込まれたら、アーム３２等が復元する。
【００４４】
次に、背面ケース２２に前面ケース２１（図２、図５に示されたものと同様に設けられたものである）をはり合わせ、背面ケース２２を入子状にして前面ケース２１に組み付ける。
【００４５】
この変形例においても、突起５７がガイド孔３５に挿入され、窪み３６にリブ５９が嵌め込まれてアーム３２がリブ５９と中ケース２４の側面２６との間に挟まれているから、背面ケース２２に前面ケース２１を組み付けるに際して緩衝部材１５の脱落を防止することができる。
【００４６】
なお、以上に説明したことを除いて、この変形例は、図６〜図８に図示されていない部分も含めて、図１〜図５の場合と同様である。
【図面の簡単な説明】
【００４７】
【図１】図１は、本発明の実施形態における携帯電話機を示した斜視図である。
【図２】図２は、上記携帯電話機の第１の筐体を分解して示した斜視図である。
【図３】図３は、上記第１の筐体の角部を拡大して示した斜視図である。
【図４】図４は、上記第１の筐体の角部を拡大して示した斜視図である。
【図５】図５は、上記第１の筐体の角部を拡大して示した斜視図である。
【図６】図６は、変形例における第１の筐体の角部を拡大して示した斜視図である。
【図７】図７は、変形例における第１の筐体の角部を拡大して示した斜視図である。
【図８】図８は、変形例における第１の筐体の角部を拡大して示した斜視図である。
【符号の説明】
【００４８】
１  携帯電話機      
２  第１の筐体      
３  二軸ヒンジ部      
４  第２の筐体      
１５  緩衝部材      
２１  前面ケース      
２２  背面ケース      
２４  中ケース      
２６  側面      
２７  突起      
２９、５９  リブ      
３１  頭部      
３２  アーム      
３３  軸孔      
３４、３６  窪み      
３５  ガイド孔
【図１】
2008289068.tif 000003
【図２】
2008289068.tif 000004
【図３】
2008289068.tif 000005
【図４】
2008289068.tif 000006
【図５】
2008289068.tif 000007
【図６】
2008289068.tif 000008
【図７】
2008289068.tif 000009
【図８】
2008289068.tif 000010